【手続補正書】
【提出日】平成19年6月25日(2007.6.25)
【手続補正１】
【補正対象書類名】明細書
【補正対象項目名】特許請求の範囲
【補正方法】変更
【補正の内容】
【特許請求の範囲】
【請求項１】
支持部材の凸面に沿って湾曲した少なくとも１つのループ状形成ファブリック(６,１０)を含む、形成セクションの形成帯域に、ヘッドボックス(２)からのストックを供給する、段階と、水を前記ストック(２１)から前記形成帯域の少なくとも１つの形成ファブリック(６,１０)を通り抜けるようにして排水し、紙又は板紙ウエブ(Ｗ)を形成する、段階と、前記少なくとも１つの形成ファブリック(６,１０)を通り抜けた水を前記形成帯域から放出し、その水が運動エネルギーを持っている、段階と、を有する抄紙機又は板紙抄紙機の形成セクションにおけるエネルギー回収方法において、
前記形成帯域から放出された水の中に可動構成要素(１４)を配置して、水により前記可動構成要素(１４)を動かし、それにより、運動エネルギーの一部分を回収する、段階、を有することを特徴とするエネルギー回収方法。
【請求項２】
前記支持部材に含まれる回転可能な形成ロール(４)の凸面に沿って走行し且つ収斂する形成帯域を構成する２つのループ状形成ファブリック(６,１０)をツインワイヤフォーマー構成にて設ける段階と、前記形成帯域の２つの前記形成ファブリックのうち、少なくとも、前記支持部材の凸面に関して外側の形成ファブリック(６)を通り抜けるようにして水をストックから排水し、紙又は板紙ウエブ(Ｗ)を形成する段階と、前記可動構成要素(１４)を前記外側の形成ファブリックのループの内側に取付ける段階と、を有する請求項１に記載のエネルギー回収方法。
【請求項３】
前記形成ファブリックを支持するための支持凸面を有し且つ前記支持部材に含まれる形成シューの上に、前記２つの形成ファブリックを支持する段階を有する、請求項２に記載のエネルギー回収方法。
【請求項４】
更に、抄紙機方向に互いに間隔を隔てた一連の湾曲した脱水ブレードの上に、前記２つの形成ファブリックを支持する段階を有し、前記脱水ブレードは、前記支持部材及びその支持凸面内に含まれる、請求項２に記載のエネルギー回収方法。
【請求項５】
少なくとも１つの案内プレート(１６)が、移動中の水をタービン(１４)の中に案内し、
水が、前記案内プレート(１６)の主要部分にわたる湾曲経路(１６Ｃ)に沿って移動する、請求項１に記載のエネルギー回収方法。
【請求項６】
前記湾曲経路(１６Ｃ)の主要部分の半径(Ｒ２)は、ほぼ一定であり、前記形成ロール(４)の半径(Ｒ１)よりも大きく且つＲ１の１２０％よりも小さい、即ち、Ｒ１＜Ｒ２＜Ｒ１ｘ１．２であり、
前記案内プレート(１６)の角度範囲(γ)は、前記形成ロール(４)の周囲の２０乃至９０°を覆う、請求項５に記載のエネルギー回収方法。
【請求項７】
前記形成ロール(４)は、表面に孔を有する真空ロールであり、前記案内プレート(１６)の角度範囲は、２０乃至５０°、好ましくは、２５乃至４０°である、請求項６に記載のエネルギー回収方法。
【請求項８】
前記形成ロールは、不浸透表面を有し、前記案内プレート(１６)の角度範囲γは、４０乃至８０°、好ましくは、５０乃至７０°である、請求項６に記載のエネルギー回収方法。
【請求項９】
ウエブ(Ｗ)の速度は、１０００ｍ／ｍｉｎ、好ましくは、１５００ｍ／ｍｉｎ、更に好ましくは、１８００ｍ／ｍｉｎである、請求項１に記載のエネルギー回収方法。
【請求項１０】
少なくとも０．２ｍ3／ｓｅｃ／ｍ、好ましくは、少なくとも０．３ｍ3／ｓｅｃ、更に好ましくは、少なくとも０．４ｍ3が前記ワイヤ(６)を通り抜けて搾り出される、請求項１に記載のエネルギー回収方法。
【請求項１１】
前記運動エネルギーを電気エネルギーに変換する発電機を使用し、好ましくは、前記電気エネルギーをポンプに供給し、更に好ましくは、前記電気エネルギーをストックポンプに供給する、請求項１に記載のエネルギー回収方法。
【請求項１２】
抄紙機又は板紙抄紙機内の装置であって、ストック(２１)を供給するヘッドボックス(２)と、少なくとも１つのループ状形成ファブリック(６;１０)と、凸面(４Ｂ)を有する支持部材(４)と、を含み、前記ループ状形成ファブリック(６;１０)は、前記支持部材(４)の前記凸面(４Ｂ)周りの一部分(α)を走行し、且つ、紙又は板紙ウエブ(Ｗ)が形成される形成帯域を定めるように構成され、水が、前記ヘッドボックス(２)によって前記形成帯域内に供給されたストック（２１）から、前記少なくとも１つのループ状形成ファブリック(６;１０)を通り抜けるようにして排水され、且つ、前記形成帯域から放出され、その水が運動エネルギーを持っている、装置において、
前記ストック(２１)から排水された水の運動エネルギーの少なくともいくらかを回収するために、可動構成要素(１４)が、前記形成帯域に隣接して位置決めされることを特徴とする装置。
【請求項１３】
前記可動構成要素(１４)は、前記少なくとも１つのループ状形成ファブリック(６;１０)を通り抜けた水によって回転されるように位置決めされたタービン(１４)、好ましくは、反動タービンである、請求項１２に記載の装置。
【請求項１４】
ツインワイヤフォーマー構成にて２つのループ状形成ファブリック(６;１０)が設けられ、第２のループ状形成ファブリック(６)は、収斂する形成帯域を形成するために、前記支持部材(４)の前記凸面(４Ｂ)周りに走行する第１の形成ファブリック(１０)の頂部を所定角度範囲(β)走行するように構成され、水が少なくとも前記第２のループ状形成ファブリック(６)を通り抜けて排水され、前記可動構成要素(１４)は、前記第２のループ状形成ファブリック(６)のループの内側に位置決めされる、請求項１２に記載の装置。
【請求項１５】
前記凸面(４Ｂ)は、回転可能な形成ロール(４)、形成シュー、及び機械方向に互いに間隔を隔てた一連の脱水ブレードのうちの一つによって構成される、請求項１４に記載の装置。
【請求項１６】
前記タービン(１４)は、反動型であり、好ましくは、バンキタービンである、請求項１３に記載の装置。
【請求項１７】
前記形成ファブリック(６)を通り抜けて絞り出された移動中の水をタービン(１４)の中に案内するための案内装置(１６,１７)が設けられ、
前記案内装置(１６,１７)は、前記形成帯域(４)の前記凸面(４Ｂ)に対して近接関係に位置決めされた案内プレート(１６)を有する、請求項１２に記載の装置。
【請求項１８】
前記案内プレート(１６)の主要部分は、実質的に一定の半径(Ｒ２)を有し、この半径(Ｒ２)は、前記凸面(４Ｂ)の半径(Ｒ１)と等しいか、或いは、それよりも大きく、好ましくは、Ｒ１＜Ｒ２＜Ｒ１ｘ１．２であり、
前記案内プレート(１６)は、上流端(１６Ａ)及び下流端(１６Ｂ)を有し、前記上流端箇所(１６Ａ)と前記下流端箇所(１６Ｂ)との間の角度範囲(γ)は、２０乃至９０°、好ましくは、３０乃至７０°であり、
前記第１の形成ファブリック(１０)の角度範囲(α)は、前記第２の形成ファブリック(６)の角度範囲よりも大きく、前記案内プレート(１６)の角度範囲(γ)は、前記第２の形成ファブリック(６)の角度(β)よりも小さい、請求項１７に記載の装置。
【請求項１９】
前記案内装置は、前記案内プレート(１６)の下流に第２の案内プレート(１７)を有し、この第２の案内プレート(１７)は、前記案内プレート(１６)の断面長さよりも実質的に短い断面長さ(ｌ2）を有し、
前記第２の案内プレート(１７)は、湾曲しており、その湾曲は、前記案内プレート(１６)の湾曲と反対である、請求項１７に記載の装置。
【請求項２０】
前記タービン(１４)の軸線方向の拡がりは、ワイヤ(６)の軸線方向の拡がりとほぼ同じであり、このワイヤ(６)の軸線方向の拡がりは、前記形成帯域(４)の軸線方向の拡がりとほぼ同じである、請求項１３に記載の装置。
【請求項２１】
前記タービンの外径φＴは、前記凸面(４Ｂ)の半径(Ｒ１)よりも実質的に小さく、好ましくは、Ｒ１ｘ０．５＜φＴ＜Ｒ１ｘ０．９である、請求項２０に記載の装置。
【請求項２２】
前記タービン(１４)は、その軸線(１４Ａ)が形成ロール(４)の軸線(４Ａ)と平行に位置決めされ、前記タービン(１４)及び前記形成ロール(４)は、前記タービンの周囲(１４Ｂ)と前記形成ロールの周囲(４Ｂ)との間の最小距離(Ｚ)が５乃至７００ｍｍ、好ましくは、５乃至２００ｍｍになるような関係に位置決めされる、請求項１３に記載の装置。
【請求項２３】
前記可動構成要素のシャフト(１４Ａ)は、発電機に連結される、請求項１２に記載の装置。